(57)【要約】【課題】  本体及び表示部の薄型化を達成しながら、表示ユニットを収納状態から簡易に 開閉できるようにした上、開閉しやすい外部端子接続部、及び記録の為の記録用カード保護用蓋を備えた撮像装置を提供する。【解決手段】  撮影方向を前方側として本体部に内蔵されたレンズユニットを含む本体部と、表示ユニットと、表示を行う表示部と、前記本体部及び前記表示ユニットをつなぎ、前記表示ユニットを回動可能に保持するヒンジ部と、前記表示ユニットに配置され、表示ユニットを回動させる際に掴む為の突起部と、前記本体部に配置された外部機器接続部を保護するための保護カバー部と、前記保護カバー部に形成され、保護カバー部を開閉するための開閉用凹部をもち、前記突起部が、前記カバー開閉用の凹部と対向した位置に配置されている。【選択図】  図５
2015015606.tif 000002
【特許請求の範囲】
【請求項１】
撮影方向を前方側として本体部に内蔵されたレンズユニットを含む本体部と、表示ユニットと、表示を行う表示部と、前記本体部及び前記表示ユニットをつなぎ、前記表示ユニットを回動可能に保持するヒンジ部と、
前記表示ユニットに配置され、表示ユニットを回動させる際に掴む為の突起部と、
前記本体部と、前記本体部に配置された外部機器接続部と、
前記外部機器接続部を保護するための保護カバー部と、
前記保護カバー部に形成され、保護カバー部を開閉するための開閉用凹部をもち、
前記突起部が、前記カバー開閉用の凹部と対向した位置に配置されている、
ことを特徴とする撮像装置。
【請求項２】
前記ヒンジ部は、前記レンズユニットの光軸に直交し、前記本体側に配置された第1回転軸と、前記表示ユニット側に配置され、前記第1回転軸と平行な軸を持つ第2回転軸を持ち、前記突起部は前記表示ユニット内で、第２回転軸よりも光軸方向前方に形成されていることを特徴とする請求項１に記載の撮像装置。
【請求項３】
前記突起部は前記表示ユニットの両側面に設置されていることを特徴とする請求項１又は２に記載の撮像装置。
【請求項４】
前記突起部は、撮像装置の前記本体部の外形よりはみ出さないことを特徴とする請求項１乃至３のいずれか１項に記載の撮像装置。
【発明の詳細な説明】
【技術分野】
【０００１】
本発明は、撮像装置に関するものである。
【背景技術】
【０００２】
近年、ビデオカメラは扱いやすさ、携帯性がより求められるようになり、小型化、薄型化が求められてきている。 また、表示ユニットを収納状態から簡易に 開閉できるようにすることが必要となる。加えて、外部接続用の外部端子接続部、及び記録の為の記録用カード等を接続する為のコネクタ部及びカード挿入部を配置する必要があるが、不用意にゴミや水滴等が侵入するのを防ぐために蓋部が必要となり、本蓋部も小型でありながら開閉しやすい構造が必要となる。
【０００３】
例えば、カード型記録媒体が装着される装着部を覆う開閉可能な蓋部に、前記映像表示装置の開閉を規制するロック部を設けたことを特徴とするビデオカメラが開示されている（特許文献１参照）。また、開閉可能な表示パネルの一部が、外部接続端子蓋の蓋押さえ部となっていることを特徴とする撮像装置が開示されている（特許文献２）。
【先行技術文献】
【特許文献】
【０００４】
【特許文献１】特許第4027127号明細書
【特許文献２】特許第4101113号明細書
【発明の概要】
【発明が解決しようとする課題】
【０００５】
しかしながら、特許文献１に開示された技術では、表示パネル用のロック構造となっており、簡易に回動できる構造ではない。また、部品点数が増えコストアップ、カード蓋のヒンジ部にもバネを仕込む必要がある等の問題がある。また、特許文献２でも同様に、押さえ部となっているだけであり、表示ユニットを簡易に回動できる用の構造ではなく、小型化、薄型化にも寄与しない。
【０００６】
そこで、本発明の目的は、本体及び表示部の薄型化を達成しながら、表示ユニットを収納状態から簡易に 開閉できるようにした上、開閉しやすい外部端子接続部、及び記録の為の記録用カード保護用蓋を備えた撮像装置を提供することである。
【課題を解決するための手段】
【０００７】
上記目的を達成するために、本発明は、撮影方向を前方側として本体部に内蔵されたレンズユニットを含む本体部と、表示ユニットと、表示を行う表示部と、前記本体部及び前記表示ユニットをつなぎ、前記表示ユニットを回動可能に保持するヒンジ部と、前記表示ユニットに配置され、表示ユニットを回動させる際に掴む為の突起部と、前記本体部と、前記本体部に配置された外部機器接続部と、前記外部機器接続部を保護するための保護カバー部と、前記保護カバー部に形成され、保護カバー部を開閉するための開閉用凹部をもち、前記突起部が、前記カバー開閉用の凹部と対向した位置に配置されていることを特徴とする。
【発明の効果】
【０００８】
本発明によれば、本体及び表示部の薄型化を達成しながら、表示ユニットを収納状態から簡易に 開閉できるようにした上、開閉しやすい外部端子接続部、及び記録の為の記録用カード保護用蓋を備えた撮像装置を提供することができる。
【図面の簡単な説明】
【０００９】
【図１】本発明の実施形態にかかわる撮像装置の機能構成図
【図２】本発明の実施形態にかかわる撮像装置の前方斜視図及び後方斜視図
【図３】本発明の実施形態にかかわる撮像装置の蓋部開状態の前方斜視図及び後方斜視図
【図４】本発明の実施形態にかかわる撮像装置の表示ユニット部を撮影者が開けている状態の前方斜視図
【図５】本発明の撮像装置の表示ユニット部を背面に向けた状態での前方斜視図
【図６】本発明の実施形態にかかわる指かけ部を示した撮像装置の上面図
【図７】本発明の実施形態にかかわる撮像装置の指かけ部付近で光軸と垂直方向に切断した断面図
【発明を実施するための形態】
【００１０】
［実施例１］
以下に、本発明の１実施形態を、添付の図面に基づいて詳細に説明する。撮像装置100の機能構成を図１に示す。レンズユニット部110のレンズ部111に入射した被写体像は、イメージセンサ部112にて電荷信号に変換される。変換された電荷信号は、本体部150に配置された制御基板部120に送られ、制御基板部120に実装されている制御ＩＣ122に入力される。本実施例のカメラの制御ＩＣ122は、イメージセンサ部112から送られる電荷信号を、輝度信号および色差信号のデジタル映像データに変換する画像処理部123と、ＣＰＵ及びワークメモリ部を持つ制御部124とで構成されている。画像処理部123で変換されたデジタル映像データは、制御部124の制御によって、作業領域であるメモリ部127とデータの授受をしたのち、外部記憶装置部190や外部接続端子部180への出力が行われる。この場合の外部記憶装置部とは、メモリカードやHDD等の本体へ内蔵や着脱可能な記憶装置のことを指す。
【００１１】
電源部125は電源スイッチ等の操作により制御部124を介して撮像装置100の電源をO N/OFFさせる。また、いくつかの操作部126を持ち、操作部126が操作されるとそれぞれに割り当てられた機能を、制御部124を介して実行する。表示ユニット部200は、レンズユニット部110へ入力された被写体像、及び使用者が撮影した映像データ等を表示することができる。本実施例における表示ユニット部200は、映像を表示する表示部202及び透明電極にて構成されたタッチパネル部203、それぞれの入出力信号を変換して本体制御部124への入出力を行う表示基板部204を持つ。これにより、各種映像やアイコン表示を表示部202に表示し、タッチパネル203への操作入力情報により様々な入力/表示制御が可能となっている。
【００１２】
図２（ａ）は、本発明の実施形態にかかわる撮像装置の前方斜視図、図２（ｂ）は、本発明の実施形態にかかわる撮像装置の後方斜視図である。本実施形の撮像装置100は、レンズユニット部110、本体部150、表示ユニット部200から構成されている。本体部150は、マイクユニット部151、記録スイッチ部152、ストラップ通し穴部153、電源スイッチ部154、再生スイッチ部155、端子蓋A部160、端子蓋B部170等から構成されている。また、端子蓋A部160、端子蓋B部170は開閉可能になっており、図３（ａ）、図３（ｂ）に示すように、開けた際には外部接続端子部180への端子の抜き差し、及びメモリカード等の外部記憶装置部190の着脱が可能になっている。
【００１３】
表示ユニット部200は通常収納状態では、レンズユニット部110に対し、光軸方向に表示面201の表示方向が垂直で、本体上面側になるように配置されている。表示面201の表面はタッチパネル203となっており、表示面が本体上面側に配置されていることにより、タッチパネル203の操作性が、従来の横開きタイプの撮像装置に対しより使いやすくなっている。よって本構成では表示ユニット200をどのようなアングルにしても安定して撮影を行うことが可能である。
【００１４】
本実施形態における撮像装置では、図４に示すように、指にて表示ユニット部200の第1回転軸部220からもっとも遠い側となる、表示ユニット200の前方側面の両サイドを挟み込むように持ち上げて表示ユニット部200を回動させることができる。この際、表示ユニット部200の前方左右両側には、表示ユニット200を本体部150から回動させやすくするために、指かけ用の指かけ凸部301を具備している。本指かけ凸部301を表示ユニット部200を回動可能とする回転軸部から遠い部分に配置することにより、表示ユニット200を開閉する力を最小にすることができ、開閉しやすい表示ユニット200を提供することができる。
【００１５】
図５に本実施形態の撮像装置の表示ユニット200を開けた状態の図を示す。図５に示すように、表示ユニット200は、ヒンジユニット部210を介して本体部150に対して接続され、光軸及び表示面201の表示方向と垂直な回転軸を持つ回転軸部230により本体部150に対して回動し、表示面201の表示方向を変えることができる。そして、表示ユニット部200を自由な角度で確認しながら撮影が可能である。ここで、表示ユニット部200側に配置された回転軸部230は、回転自由度及び取り扱い時の安定度を高めるために、表示ユニット部200の両サイドに配置されている。
【００１６】
また、本実施例の撮像装置では、表示ユニット200側に配置されている回転軸部230及び回転軸部230を保護するためのヒンジカバー部235が表示ユニット部200から突出して設けられているため、表示ユニット200が閉じた状態でその突出部を格納するために、本体部150側には凹部157が設けられている。凹部157の外側の一部もしくはすべての領域は、端子蓋A部160、端子蓋B部170の一部で覆うように構成される。端子蓋A部160、端子蓋B部170は、既に説明したように開閉可能になっており、図３（ａ）、図３（ｂ）に示したように、開けた際には外部接続端子部180への端子の抜き差し、メモリカード等の外部記憶装置部190の着脱が可能になっている。図５のように表示ユニット200を開けた状態では、凹部157に指を入れて端子蓋A部160、端子蓋B部170を簡単に開くことが可能になる。また、凹部157を前記端子蓋A部160、端子蓋B部170の指かけ部と兼ねることにより、スペースを効率よく利用でき、本体をより小型化することができる。
【００１７】
図６に本実施形態の撮像装置を上方から見た図を示す。また、図７に指かけ凸部301部周辺の光軸と垂直方向の断面を示す。図６に示すように、指かけ凸部301は、デザイン性の良さと装置の小型化を達成するために、撮像装置100の外形から飛び出さない範囲で設けられている。外形より指かけ凸部301の凸量が少ないため、開閉動作をしにくくなる可能性があるが、図５、図７に示すように、指かけ凸部301の下に配置された端子蓋A部160、端子蓋B部170の指かけ凸部301に対向する位置に、それぞれの蓋を開閉するための指かけ用凹部161、171を設けている。このように、指かけ用凹部161,171が指かけ凸部301に対向する位置にあることにより、指かけ用凹部161,171の部分にまで指の一部が入り込むことができ、指かかりがよくなり、表示ユニット200をより簡単に開閉することができる。
【００１８】
なお、本実施形態では、表示ユニット部200に指かけ凸部301を設定したが、実施の形態によっては、表示ユニット部200側には凸がなくてもよいし、逆に指かけ用の凹形状を設けて操作しやすくすることも可能である。
【００１９】
以上、本発明の好ましい実施形態について説明したが、本発明はこれらの実施形態に限定されず、その要旨の範囲内で種々の変形及び変更が可能である。
【符号の説明】
【００２０】
100  撮像装置
150  本体部
157  本体側凹部
160  端子蓋A部
161  指かけ用凹部
170  端子蓋B部
171  指かけ用凹部
200  表示ユニット
【図１】
2015015606.tif 000003
【図２】
2015015606.tif 000004
【図３】
2015015606.tif 000005
【図４】
2015015606.tif 000006
【図５】
2015015606.tif 000007
【図６】
2015015606.tif 000008
【図７】
2015015606.tif 000009